【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
画面の輝度と色の少なくとも一方のキャリブレーションを実行可能な画像表示装置であって、
発光手段と、
前記発光手段からの光を変調することで前記画面に画像を表示する表示手段と、
入力画像データに基づいて前記発光手段の発光を制御する発光制御手段と、
複数のキャリブレーション用画像を前記画面に順番に表示させる表示処理を実行する表示制御手段と、
前記画面の領域のうち前記キャリブレーション用画像が表示された領域から発せられた光の測定値を取得する処理を、前記複数のキャリブレーション用画像のそれぞれについて実行する取得手段と、
前記複数のキャリブレーション用画像の測定値に基づいて、前記キャリブレーションを実行する校正手段と、
を有し、
前記表示制御手段は、前記表示処理の実行中に前記発光手段の発光状態が前記表示処理の実行前における前記発光手段の発光状態から変化した場合に、前記表示処理の少なくとも一部を再度実行する
ことを特徴とする画像表示装置。
【請求項２】
前記発光手段は、個別に発光を制御可能な複数の光源を有し、
前記発光制御手段は、前記複数の光源のそれぞれに対応する前記画面の領域に表示すべき画像データに基づいて、各光源の発光を制御し、
前記表示処理では、前記複数のキャリブレーション用画像が、前記画面の同じ領域に表示され、
前記発光手段の発光状態は、前記キャリブレーション用画像が表示される領域における前記発光手段の発光状態である
ことを特徴とする請求項１に記載の画像表示装置。
【請求項３】
前記表示処理の実行中における前記発光手段の発光状態の、前記表示処理の実行前における前記発光手段の発光状態に対する変化度合いが閾値以上であるか否かを判断する変化判断手段をさらに有し、
前記表示制御手段は、前記変化度合いが前記閾値以上であると判断された場合に、前記表示処理の少なくとも一部を再度実行する
ことを特徴とする請求項１または２に記載の画像表示装置。
【請求項４】
前記変化度合いは、以下の式を用いて、前記表示処理の実行前における前記発光手段の発光状態Ｄａと、前記表示処理の実行中における前記発光手段の発光状態Ｄｂと、から算出される変化率ΔＥである
ΔＥ＝｜（Ｄｂ−Ｄａ）÷Ｄａ｜
ことを特徴とする請求項３に記載の画像表示装置。
【請求項５】
前記発光手段の発光状態は、前記発光手段の発光輝度と発光色の少なくとも一方を含むことを特徴とする請求項１〜４のいずれか１項に記載の画像表示装置。
【請求項６】
前記発光手段は、設定された発光制御値に応じた発光を行い、
前記発光制御手段は、前記発光手段に設定する発光制御値を制御し、
前記画像表示装置は、前記発光手段に設定された発光制御値に基づいて、前記発光手段の発光状態を判断する状態判断手段をさらに有する
ことを特徴とする請求項１〜５のいずれか１項に記載の画像表示装置。
【請求項７】
前記入力画像データに基づいて、前記発光手段の発光状態を判断する状態判断手段をさらに有する
ことを特徴とする請求項１〜５のいずれか１項に記載の画像表示装置。
【請求項８】
前記発光手段からの光を測定する測定手段をさらに有し、
前記測定手段の測定値が、前記発光手段の発光状態として使用される
ことを特徴とする請求項１〜５のいずれか１項に記載の画像表示装置。
【請求項９】
前記表示制御手段は、
基準のキャリブレーション用画像である第１画像を前記画面に表示させた後に、Ｎ個（Ｎは２以上の整数）のキャリブレーション用画像であるＮ個の第２画像を前記画面に順番に表示させる表示処理を実行し、
ｎ番目（ｎは１以上Ｎ以下の整数）の第２画像を表示させたときに前記発光手段の発光状態が前記第１画像を前記画面に表示させたときの前記発光手段の発光状態から変化した場合に、前記第１画像を前記画面に再度表示させ、その後に少なくとも前記ｎ番目以降の第２画像を前記画面に順番に表示させる表示処理を実行する
ことを特徴とする請求項１〜８のいずれか１項に記載の画像表示装置。
【請求項１０】
前記表示制御手段は、前記ｎ番目の第２画像を表示させたときに前記発光手段の発光状態が前記第１画像を前記画面に表示させたときの前記発光手段の発光状態から変化した場合に、前記ｎ番目の第２画像の１つ前に表示されたキャリブレーション用画像を、前記第１画像として前記画面に表示させる
ことを特徴とする請求項９に記載の画像表示装置。
【請求項１１】
前記取得手段は、前記第１画像の測定値と前記Ｎ個の第２画像の測定値を取得し、
前記校正手段は、
前記第２画像毎に、その第２画像の測定値と前記第１画像の測定値とを比較し、
各第２画像の比較結果に基づいて、前記キャリブレーションを実行する
ことを特徴とする請求項９または１０に記載の画像表示装置。
【請求項１２】
２つ以上のキャリブレーション用画像が属すグループが予め複数用意されており、
前記表示制御手段は、
前記グループ毎に、そのグループに属す２つ以上のキャリブレーション用画像を前記画面に順番に表示させる表示処理を実行し、
前記グループ毎に、そのグループに対する表示処理の実行中に前記発光手段の発光状態が当該表示処理の実行前における前記発光手段の発光状態から変化した場合に、当該グループに対する表示処理の少なくとも一部を再度実行する
ことを特徴とする請求項１〜１１のいずれか１項に記載の画像表示装置。
【請求項１３】
画面の輝度と色の少なくとも一方のキャリブレーションを実行可能な画像表示装置の制御方法であって、
前記画像表示装置は、
発光手段と、
前記発光手段からの光を変調することで前記画面に画像を表示する表示手段と、
入力画像データに基づいて前記発光手段の発光を制御する発光制御手段と、
を有し、
前記制御方法は、
複数のキャリブレーション用画像を前記画面に順番に表示させる表示処理を実行する表示制御ステップと、
前記画面の領域のうち前記キャリブレーション用画像が表示された領域から発せられた光の測定値を取得する処理を、前記複数のキャリブレーション用画像のそれぞれについて実行する取得ステップと、
前記複数のキャリブレーション用画像の測定値に基づいて、前記キャリブレーションを実行する校正ステップと、
を有し、
前記表示制御ステップでは、前記表示処理の実行中に前記発光手段の発光状態が前記表示処理の実行前における前記発光手段の発光状態から変化した場合に、前記表示処理の少なくとも一部を再度実行する
ことを特徴とする画像表示装置の制御方法。
【請求項１４】
前記発光手段は、個別に発光を制御可能な複数の光源を有し、
前記発光制御手段は、前記複数の光源のそれぞれに対応する前記画面の領域に表示すべき画像データに基づいて、各光源の発光を制御し、
前記表示処理では、前記複数のキャリブレーション用画像が、前記画面の同じ領域に表示され、
前記発光手段の発光状態は、前記キャリブレーション用画像が表示される領域における前記発光手段の発光状態である
ことを特徴とする請求項１３に記載の画像表示装置の制御方法。
【請求項１５】
前記制御方法は、前記表示処理の実行中における前記発光手段の発光状態の、前記表示処理の実行前における前記発光手段の発光状態に対する変化度合いが閾値以上であるか否かを判断する変化判断ステップをさらに有し、
前記表示制御ステップでは、前記変化度合いが前記閾値以上であると判断された場合に、前記表示処理の少なくとも一部を再度実行する
ことを特徴とする請求項１３または１４に記載の画像表示装置の制御方法。
【請求項１６】
前記変化度合いは、以下の式を用いて、前記表示処理の実行前における前記発光手段の発光状態Ｄａと、前記表示処理の実行中における前記発光手段の発光状態Ｄｂと、から算出される変化率ΔＥである
ΔＥ＝｜（Ｄｂ−Ｄａ）÷Ｄａ｜
ことを特徴とする請求項１５に記載の画像表示装置の制御方法。
【請求項１７】
前記発光手段の発光状態は、前記発光手段の発光輝度と発光色の少なくとも一方を含むことを特徴とする請求項１３〜１６のいずれか１項に記載の画像表示装置の制御方法。
【請求項１８】
前記発光手段は、設定された発光制御値に応じた発光を行い、
前記発光制御手段は、前記発光手段に設定する発光制御値を制御し、
前記制御方法は、前記発光手段に設定された発光制御値に基づいて、前記発光手段の発光状態を判断する状態判断ステップをさらに有する
ことを特徴とする請求項１３〜１７のいずれか１項に記載の画像表示装置の制御方法。
【請求項１９】
前記制御方法は、前記入力画像データに基づいて、前記発光手段の発光状態を判断する状態判断ステップをさらに有する
ことを特徴とする請求項１３〜１７のいずれか１項に記載の画像表示装置の制御方法。
【請求項２０】
前記制御方法は、前記発光手段からの光を測定する測定ステップをさらに有し、
前記測定ステップの測定値が、前記発光手段の発光状態として使用される
ことを特徴とする請求項１３〜１７のいずれか１項に記載の画像表示装置の制御方法。
【請求項２１】
前記表示制御ステップでは、
基準のキャリブレーション用画像である第１画像を前記画面に表示させた後に、Ｎ個（Ｎは２以上の整数）のキャリブレーション用画像であるＮ個の第２画像を前記画面に順番に表示させる表示処理を実行し、
ｎ番目（ｎは１以上Ｎ以下の整数）の第２画像を表示させたときに前記発光手段の発光状態が前記第１画像を前記画面に表示させたときの前記発光手段の発光状態から変化した場合に、前記第１画像を前記画面に再度表示させ、その後に少なくとも前記ｎ番目以降の第２画像を前記画面に順番に表示させる表示処理を実行する
ことを特徴とする請求項１３〜２０のいずれか１項に記載の画像表示装置の制御方法。
【請求項２２】
前記表示制御ステップでは、前記ｎ番目の第２画像を表示させたときに前記発光手段の発光状態が前記第１画像を前記画面に表示させたときの前記発光手段の発光状態から変化した場合に、前記ｎ番目の第２画像の１つ前に表示されたキャリブレーション用画像を、前記第１画像として前記画面に表示させる
ことを特徴とする請求項２１に記載の画像表示装置の制御方法。
【請求項２３】
前記取得ステップでは、前記第１画像の測定値と前記Ｎ個の第２画像の測定値を取得し、
前記校正ステップでは、
前記第２画像毎に、その第２画像の測定値と前記第１画像の測定値とを比較し、
各第２画像の比較結果に基づいて、前記キャリブレーションを実行する
ことを特徴とする請求項２１または２２に記載の画像表示装置の制御方法。
【請求項２４】
２つ以上のキャリブレーション用画像が属すグループが予め複数用意されており、
前記表示制御ステップでは、
前記グループ毎に、そのグループに属す２つ以上のキャリブレーション用画像を前記画面に順番に表示させる表示処理を実行し、
前記グループ毎に、そのグループに対する表示処理の実行中に前記発光手段の発光状態が当該表示処理の実行前における前記発光手段の発光状態から変化した場合に、当該グループに対する表示処理の少なくとも一部を再度実行する
ことを特徴とする請求項１３〜２３のいずれか１項に記載の画像表示装置の制御方法。
【請求項２５】
請求項１３〜２４のいずれか１項に記載の画像表示装置の制御方法の各ステップをコンピュータに実行させることを特徴とするプログラム。
【手続補正２】
【補正対象書類名】明細書
【補正対象項目名】００１０
【補正方法】変更
【補正の内容】
【００１０】
本発明の第１の態様は、
画面の輝度と色の少なくとも一方のキャリブレーションを実行可能な画像表示装置であって、
発光手段と、
前記発光手段からの光を変調することで前記画面に画像を表示する表示手段と、
入力画像データに基づいて前記発光手段の発光を制御する発光制御手段と、
複数のキャリブレーション用画像を前記画面に順番に表示させる表示処理を実行する表示制御手段と、
前記画面の領域のうち前記キャリブレーション用画像が表示された領域から発せられた光の測定値を取得する処理を、前記複数のキャリブレーション用画像のそれぞれについて実行する取得手段と、
前記複数のキャリブレーション用画像の測定値に基づいて、前記キャリブレーションを実行する校正手段と、
を有し、
前記表示制御手段は、前記表示処理の実行中に前記発光手段の発光状態が前記表示処理の実行前における前記発光手段の発光状態から変化した場合に、前記表示処理の少なくとも一部を再度実行する
ことを特徴とする画像表示装置である。
【手続補正３】
【補正対象書類名】明細書
【補正対象項目名】００１１
【補正方法】変更
【補正の内容】
【００１１】
本発明の第２の態様は、
画面の輝度と色の少なくとも一方のキャリブレーションを実行可能な画像表示装置の制御方法であって、
前記画像表示装置は、
発光手段と、
前記発光手段からの光を変調することで前記画面に画像を表示する表示手段と、
入力画像データに基づいて前記発光手段の発光を制御する発光制御手段と、
を有し、
前記制御方法は、
複数のキャリブレーション用画像を前記画面に順番に表示させる表示処理を実行する表示制御ステップと、
前記画面の領域のうち前記キャリブレーション用画像が表示された領域から発せられた光の測定値を取得する処理を、前記複数のキャリブレーション用画像のそれぞれについて実行する取得ステップと、
前記複数のキャリブレーション用画像の測定値に基づいて、前記キャリブレーションを実行する校正ステップと、
を有し、
前記表示制御ステップでは、前記表示処理の実行中に前記発光手段の発光状態が前記表示処理の実行前における前記発光手段の発光状態から変化した場合に、前記表示処理の少なくとも一部を再度実行する
ことを特徴とする画像表示装置の制御方法である。
【手続補正４】
【補正対象書類名】明細書
【補正対象項目名】００６８
【補正方法】変更
【補正の内容】
【００６８】
次に、発光変化検出部１０９が、表示処理の実行中における発光部１０６の発光状態の、表示処理の実行前における発光部１０６の発光状態に対する変化度合いが閾値以上であるか否かを判断する（Ｓ３５）。変化度合いが閾値以上である場合には、発光変化検出部１０９は、発光部１０６の発光状態の変化が検出されたと判断し、画像生成部１０３へ変化情報を出力する。そして、Ｓ３０へ処理が戻され、測定用画像グループＢに属するＮ個の測定用画像を画面に順番に表示して測定する処理が再実行される。変化度合いが閾値未満である場合には、発光変化検出部１０９は、発光部１０６の発光状態の変化が検出されなかったと判断する。そして、Ｓ３６へ処理が進められる。Ｓ３５では、発光部１０６の発光状態として、測定値Ｄ３，Ｄ４が使用される。
【手続補正５】
【補正対象書類名】明細書
【補正対象項目名】００７５
【補正方法】変更
【補正の内容】
【００７５】
例えば、校正部１０８は、上述した方法で決定した画素値変換ＬＵＴを画像処理部１０２に設定する。その結果、画像処理部１０２では、画素値変換ＬＵＴを用いて入力画像データの画素値を変換することにより、表示用画像データが生成される。例えば、入力画像データの画素値（１２８，１２８，１２８）の各階調値（Ｒ値、Ｇ値、及び、Ｂ値）は、キャリブレーション前の画素値変換ＬＵＴにおいて入力階調値１２８に対応する出力階調値よりも５％だけ高い階調値に変換される。その結果、ガンマ値＝２．２のガンマ特性に従った表示が行われる。
なお、画素値変換ＬＵＴの入力階調値とは異なる階調値に対応する出力階調値は、画素値変換ＬＵＴの出力階調値を用いた内挿処理や外挿処理を行うことによって決定することができる。